(57)【要約】【課題】端子リードの折曲げ加工の加工精度を高め、面実装などの接続の安定性を高めることにある。【解決手段】端子リード（８−１、８−２）の折曲げ位置（１０）に切欠部（１２）を形成し、該切欠部が最深部（１４）と該最深部を挟んで対向する二つの傾斜面（１６−１、１６−２）を有し、前記折り曲げ位置で前記傾斜面間の拡開方向に折り曲げ、前記端子リードの折曲げ角部（１８）の背面に前記傾斜面を含む傾斜部（２０）を生成させている。【選択図】図２
2013201259.tif 000002
【特許請求の範囲】
【請求項１】
端子リードの折り曲げ位置に切欠部を形成し、該切欠部が最深部と該最深部を挟んで対向する二つの傾斜面を有し、
前記折り曲げ位置で前記傾斜面間の拡開方向に折り曲げ、
前記端子リードの折曲げ角部の背面に前記傾斜面を含む傾斜部を生成させた
ことを特徴とする端子成形方法。
【請求項２】
前記切欠部は、各傾斜面の成す角度が６０度ないし１２０度であることを特徴とする、請求項１に記載の端子成形方法。
【請求項３】
前記切欠部の最深部の肉厚は、前記端子リードの肉厚の２分の１であることを特徴とする請求項１または２の何れかの請求項に記載の端子成形方法。
【請求項４】
前記切欠部の前記最深部が前記傾斜面の平坦面、突部または凹部に成形されることを特徴とする、請求項１ないし請求項３の何れかに記載の端子成形方法。
【請求項５】
端子リードがリード基部と該リード基部から折曲げられた折曲げ部とを備え、
前記リード基部と折曲げ部とが成す折曲げ角部の背面部に、前記折曲げ角部を二分する中心線と交差方向に広がる傾斜部を備えることを特徴とする端子。
【請求項６】
コンデンサ本体から引き出される少なくとも一対の端子リードを形成し、
前記端子リードの折曲げ位置に最深部と該最深部を挟んで対向する二つの傾斜面を持つ切欠部を形成し、
前記端子本体を前記折り曲げ位置で前記傾斜面間の拡開方向に折り曲げ、
前記端子本体の折曲げ角部に前記傾斜面を含む傾斜部を生成する
ことを特徴とするコンデンサの製造方法。
【発明の詳細な説明】
【技術分野】
【０００１】
本発明は、回路基板への面実装（フェィスボンディング）などに用いられる端子に関し、たとえば、端子リードを折り曲げる端子成形方法、端子およびコンデンサの製造方法に関する。
【背景技術】
【０００２】
小型のコンデンサなどの電子部品では、端子リードを折り曲げて面実装端子に加工することが行われている。たとえば、コンデンサでは、封口板から引き出された２本の端子リードを互いに反対方向に曲げ、保持部材上で配置されている。また、樹脂モールドで形成された樹脂外装では、外装面に沿って端子リードを折り曲げ、面実装端子に加工することが行われている。
【０００３】
このような端子リードの成形に関し、折曲げ部分に切欠部や凹部などを形成することが知られている（たとえば、特許文献１、特許文献２、特許文献３、特許文献４、特許文献５）。
【先行技術文献】
【特許文献】
【０００４】
【特許文献１】特開昭６３−１４４６２号公報
【特許文献２】特開昭６３−１７９５５７号公報
【特許文献３】特開平１−１５２６１２号公報
【特許文献４】特開平５−３３５１７１号公報
【特許文献５】特開２０００−３６４３２号公報
【発明の概要】
【発明が解決しようとする課題】
【０００５】
ところで、端子リードには銅線などの剛性の高い金属が用いられている。このため、この端子リードに折曲げ加工を施した際に、スプリングバックにより端子リードの成形や成形維持が妨げられる。スプリングバックは、金属など素材が持つ弾性の復元力が素材の折曲げなどの成形加工に対し、原形状に復帰する現象である。
【０００６】
このスプリングバックを回避するには剛性の低い金属を用いればよいが、剛性が低い金属は軟弱であり、成形後に変形するおそれがある。剛性の高い金属を用いれば、端子リードは強度を増すが、スプリングバックの影響を受ける。端子リードに対する成形圧力を高めれば、ある程度加工精度を高められるが、端子リードに対する成形負荷が大きくなり、部品の信頼性を低下させるおそれがある。
【０００７】
加工精度の低い端子リードでは、面実装の際に部品本体の浮き上がりなどの不都合がある。浮き上がりなど不安定な状態で半田付けを行えば、半田付け不良など、接続強度の低下を起こし、振動などで基板から電子部品が脱落するなどの課題がある。
【０００８】
端子リードの成形性を高めるため、従来では端子リードの折曲げ位置に加工を施し、端子リードが持つ弾性を鈍化させて加工することが行われてきた。しかし、従来の加工では製造上、端子リードの加工精度を上げれば、端子リードの脆弱化を招き、脆弱化を回避すると、端子リードの加工精度が低下するという課題がある。実験や試作段階では、ある程度の加工精度が得られても、量産段階に入ると、電子部品としての性能に何らの問題もないにもかかわらず、端子リードの加工精度のみで不良品となってしまう課題がある。
【０００９】
そこで、本発明は、上記課題に鑑み、端子リードの折曲げ加工の加工精度を高め、面実装などの接続の安定性を高めることにある。
【課題を解決するための手段】
【００１０】
上記目的を達成するため、本発明の端子成形方法は、端子リードの折り曲げ位置に切欠部を形成し、該切欠部が最深部と該最深部を挟んで対向する二つの傾斜面を有し、前記折り曲げ位置で前記傾斜面間の拡開方向に折り曲げ、前記端子リードの折曲げ角部の背面に前記傾斜面を含む傾斜部を生成させている。
【００１１】
上記端子成形方法において、前記切欠部は、各傾斜面の成す角度を６０度ないし１２０度に設定してもよい。
【００１２】
上記端子成形方法において、前記切欠部の最深部の肉厚は、前記端子リードの肉厚の２分の１であってもよい。
【００１３】
上記端子成形方法において、前記切欠部の前記最深部が前記傾斜面の平坦面、突部または凹部に成形される。
【００１４】
上記目的を達成するため、本発明の端子は、端子リードがリード基部と該リード基部から折曲げられた折曲げ部とを備え、前記リード基部と折曲げ部とが成す折曲げ角部の背面部に、前記折曲げ角部を二分する中心線と交差方向に広がる傾斜部を備える。
【００１５】
上記目的を達成するため、本発明のコンデンサの製造方法は、コンデンサ本体から引き出される少なくとも一対の端子リードを形成し、前記端子リードの折曲げ位置に最深部と該最深部を挟んで対向する二つの傾斜面を持つ切欠部を形成し、前記端子リードを前記折り曲げ位置で前記傾斜面間の拡開方向に折り曲げ、前記端子リードの折曲げ角部に前記傾斜面を含む傾斜部を生成する。
【発明の効果】
【００１６】
(1) 本発明の端子成形方法によれば、端子の折曲げ加工の加工精度を高めることができる。
【００１７】
(2) 本発明の端子によれば、加工精度の高い折り曲げ部を持つ端子が得られる。
【００１８】
(3) 本発明のコンデンサの製造方法によれば、端子の折曲げ加工の加工精度を高めることができる。
【００１９】
そして、本発明の他の目的、特徴および利点は、添付図面および各実施の形態を参照することにより、一層明確になるであろう。
【図面の簡単な説明】
【００２０】
【図１】第１の実施の形態に係るコンデンサおよび折曲げ前の端子リードの一例を示す図である。
【図２】コンデンサおよび折曲げ後の端子リードの一例を示す図である。
【図３】端子リードの成形推移を示す図である。
【図４】端子リードの原形状および異なる方向に折り曲げられた端子リードの比較例を示す図である。
【図５】第２の実施の形態に係る端子リードの原形状および折曲げ後の端子リードの一例を示す図である。
【図６】第３の実施の形態に係る端子リードの原形状および成形後の端子リードの一例を示す図である。
【図７】端子リードの原形状および第４の実施の形態に係る端子リードの一例を示す図である。
【発明を実施するための形態】
【００２１】
＜第１の実施の形態に係るコンデンサおよび端子リードの原形状（折曲げ前の形状）＞
【００２２】
図１のＡは、第１の実施の形態に係るコンデンサ２および端子リードの原形状を示している。図１のＢは、図１のＡのIＢ部を拡大して示している。
【００２３】
コンデンサ２は電子部品の一例であり、たとえば、電解コンデンサや電気二重層コンデンサである。このコンデンサ２はコンデンサ本体４と面実装部材６とを備えている。面実装部材６は絶縁合成樹脂などの絶縁体で形成されている。この面実装部材６は、コンデンサ本体４を面実装部品に加工するための台座でもよいし、コンデンサ本体４が実装される回路基板であってもよい。
【００２４】
この実施の形態のコンデンサ本体４には、単体として用いることができるコンデンサが用いられている。このコンデンサ本体４には、外装ケース４２にコンデンサ素子４４が封入されている。この外装ケース４２は有底筒状のアルミニウムケースである。この外装ケース４２の開口部には封口部材４６が取り付けられている。この封口部材４６はゴムなどの絶縁性ゴムで形成されている。コンデンサ素子４４の同一素子面より導出した端子リード８−１、８−２は封口部材４６を貫通させ、外装ケース４２の開放端がカーリング処理されて封口部材４６に食い込ませてある。この外装ケース４２の開放端のカーリング部に面実装部材６を当接させている。なお、外装ケースおよび封口部材の形成材料は、上記材料に限定されることなく、適宜変更してもよい。また、封口方法における固定方法にはたとえば、レーザ溶接、抵抗溶接、プレス加工などを用いてもよい。また、外装ケース４２に代え、コンデンサ素子４４をモールドするモールド樹脂であってもよい。
【００２５】
コンデンサ本体４から引き出された一対の端子リード８−１、８−２は面実装部材６を貫通し、面実装部材６の下面側に引き出されている。各端子リード８−１、８−２は導電性のよい金属で形成されている。その断面形状は円柱状、角柱状のいずれであってもよい。
【００２６】
各端子リード８−１、８−２には面実装に適した位置、最適な加工位置としての折曲げ位置１０が設定されている。各端子リード８−１、８−２の折曲げ位置１０にはＶ字状の切欠部１２が形成されている。切欠部１２はプレス成形、切削などのいずれによって形成してもよい。各切欠部１２は対向しており、各端子リード８−１、８−２は互いに反対方向に折り曲げられる。
【００２７】
各切欠部１２は、最深部１４を備える。この最深部１４は、切欠部１２の最も深い箇所を表す。この最深部１４を挟んで対向する二つの傾斜面１６−１、１６−２が形成されている。したがって、各切欠部１２は、最深部１４と、この最深部１４を挟んで二つの傾斜面１６−１、１６−２とでＶ字形の切欠凹部を形成している。この切欠部１２は、プレス加工でもよいし、切削加工の何れで形成されてよい。この傾斜面１６−１、１６−２の成す角度をθ1とする。
【００２８】
＜コンデンサ２および成形後の端子リード８−１、８−２＞
【００２９】
図２のＡは、コンデンサ２および成形後の端子リード８−１、８−２を示している。図２のＢは、図２のＡのIIＢ部（折曲げ角部１８）を拡大して示している。
【００３０】
端子リード８−１、８−２は折曲げ位置１０（図１のＡ）で互いに反対方向（傾斜面１６−１、１６−２を拡開させる方向：拡開方向）に直角に折り曲げられている。この折り曲げる角度をθ2とする。この成形後の端子リード８−１、８−２について、リード基部８Ａと、折曲げ部８Ｂを定義する。リード基部８Ａは、端子リード８−１、８−２の原形状部分である。折曲げ部８Ｂは、リード基部８Ａと交差方向に折り曲げられた部分である。
【００３１】
リード基部８Ａと折曲げ部８Ｂが成す折曲げ角部１８の背面部には傾斜部２０が形成されている。この傾斜部２０には、原形状の傾斜面１６−１、１６−２、最深部１４および伸長部２２が含まれている。伸長部２２は、折り曲げにより生成されたものであり、この場合、伸び幅Ｗ３を底辺とする三角形状である。伸び幅Ｗ３は傾斜面１６−１、１６−２および最深部１４から形成されている。この伸長部２２の断面面積および伸び幅Ｗ３は、図１Aに示す原形状の傾斜面１６−１、１６−２の成す角度θ1 と、図１Ｂに示すリード基部８Ａと折曲げ部８Ｂが成す折曲げ角度θ2 、端子リード８−１、８−２の素材が持つ弾性に依存する。
【００３２】
＜端子リード８−１、８−２の成形加工＞
【００３３】
図３のＡ、ＢおよびＣは、端子リード８−１、８−２の成形を示している。この成形工程は、本発明の端子成形方法およびコンデンサの製造方法の一例である。
【００３４】
図３のＡに示すように、端子リード８−１、８−２の折曲げ位置１０に形成された切欠部１２の最深部１４を中心に傾斜面１６−１、１６−２が形成されている。この実施の形態の傾斜面１６−１、１６−２の成す角度θ1 は一例として９０度である。また、端子リード８−１、８−２の肉厚をＷ１、最深部１４の肉厚をＷ２とする。Ｗ２＝Ｗ１÷２とすると、最深部１４の深さＤは、Ｄ＝Ｗ１÷２＝Ｗ２である。つまり、最深部１４の深さＤは、端子リード８−１、８−２の肉厚の２分の１の深さである。
【００３５】
各端子リード８−１、８−２を図３のＢに示すように、折曲げ位置１０で先端側から時計方向または反時計方向に回転モーメントを加えて折り曲げる。つまり、切欠部１２を背面側にして折り曲げる。折曲げ角度θ2 が４５度であれば、傾斜面１６−１、１６−２の角度θ1 は原角度θ1 に４５度を加えた角度つまり、θ1 ＝９０度＋４５度＝１３５度に拡開される。このとき、リード基部８Ａと折曲げ部８Ｂが成す角度θ3 は、１８０度からθ2 を減算した値となる。つまり、θ3 ＝１８０度−４５度＝１３５度となる。
【００３６】
折曲げ角度θ2 をさらに４５度だけ進め、θ2 ＝９０度になると、図３のＣに示すように、角度θ1 は、既述の１３５度に４５度を加えた角度となる。つまり、θ1 ＝１３５度＋４５度＝１８０度となる。これにより、傾斜面１６−１、１６−２にはＶ字状から連続した平坦な傾斜部２０に遷移する。このとき、角度θ3 は９０度となる。
【００３７】
傾斜部２０は既述したとおり、傾斜面１６−１、１６−２、最深部１４および伸長部２２および伸び幅Ｗ３により形成される。そして傾斜部２０は最深部１４であった箇所を中心に角度θ1 ＝１８０度の平坦面となっている。つまり、折り曲げ角部１８側にリード基部８Ａと折曲げ部８Ｂを原形状に復帰させるための肉厚部が存在していない。このため、端子リード８−１、８−２の素材に弾性があっても、原形状に復帰するための復元力が生じない。この結果、スプリングバックが大幅に低減されている。
【００３８】
そして、最深部１４の肉厚Ｗ２は多少の減少はあるものの、原形の肉厚が維持されるが、この肉厚部分は形状維持に寄与する。
【００３９】
したがって、スプリングバックが傾斜部２０により相殺され、端子リード８−１、８−２が折曲げ形状に維持されている。
【００４０】
＜切欠部１２側に折り曲げた場合の比較例＞
【００４１】
図４のＡは、既述の端子リード８−１、８−２を切欠部１２側に折り曲げる場合を示している。図４のＢは、切欠部１２を内側にして折り曲げられた端子リード８−１、８−２を示している。
【００４２】
この場合、折曲げ角部１８には最深部１４を頂点とする断面扇型の伸長部２６が生じている。この伸長部２６の断面積は、肉厚Ｗ２を半径とする円面積の４分の１の広さを持っている。伸び幅Ｗ４は、既述の伸び幅Ｗ３より大きく、しかも円弧を成している。これが、大きなスプリングバックの原因となる。このような折曲げはスプリングバックによる形状復帰性が高く、実用性に乏しい。
【００４３】
この比較例では、端子リード８−１、８−２を切欠部１２側に折り曲げている。このように、端子リード８−１、８−２を折り曲げると、傾斜面１６−１、１６−２同士が当接する場合がある。傾斜面１６−１、１６−２同士が当接すると、互いに押し合う応力が発生する。この応力が集中すると、スプリングバックが生じ、傾斜面１６−１、１６−２間を引き離す方向に端子リード８−１、８−２を変形させてしまう。斯かるスプリングバックの抑制対策として、スプリングバックを見込んで端子リード８−１、８−２を折り曲げ、スプリングバックで復帰した端子リード８−１、８−２の角度が所望角度になるようにすることが行なわれる場合がある。しかし、スプリングバックは不安定であり、ばらつきがある。このようなスプリングバックを見込んだ折曲げは、傾斜面１６−１、１６−２を一定角度に成形できないという課題がある。
【００４４】
＜第１の実施の形態の利点および効果＞
【００４５】
この端子および端子成形方法には次のような利点がある。
【００４６】
(a) 折曲げ位置１０に最深部１４が設定されているので、折曲げ位置１０が最深部１４により特定される。折曲げ位置１０を特定する折曲げ精度が高い。
【００４７】
(b) 最深部１４の肉厚が薄いので、容易に端子リード８−１、８−２を折り曲げることができる。つまり、折曲げの容易化が図られる。
【００４８】
(c) 折曲げの結果、傾斜面１６−１、１６−２で一様な傾斜面２０が生成され、リード基部８Ａと折曲げ部８Ｂとの間のスプリングバックを防止できる。つまり、成形精度の向上とともに、形状維持性が高められる。
【００４９】
(d) 所定の角度たとえば、９０度に端子リード８−１、８−２を折り曲げ、面実装端子に形成できる。これにより、基板面へのコンデンサ２の載置精度が高められる。半田付け精度が高められ、接続の信頼性を高めることができる。つまり、設置の安定化および接続の安定化を図ることができる。
【００５０】
(e) この実施の形態では、傾斜部２０が生成された後、原形状である傾斜面１６−１、１６−２が対向しないので、原形状への復帰応力が生じる部位が存在しない。つまり、折曲げ方向と反対方向に作用する力が生じない。
【００５１】
(f) 端子リード８−１、８−２の折曲げを阻害することがなく、つまり、端子リード８−１、８−２の可動領域を制限することがない。端子リード８−１、８−２を９０度以上に折り曲げることが可能である。また、折曲げ後、折曲げ角度を９０度未満とすることができ、スプリングバックによる戻りを所望の折曲げ角度に調整することが可能である。
【００５２】
(g) 端子リード８−１、８−２に形成された切欠部１２の最深部１４が薄肉部となっているので、折曲げ開始の基点となる。切欠部１２が折曲げ位置１０を規制し、折曲げの位置精度を高めることができる。
【００５３】
(h) スプリングバックが防止され、端子リード８−１、８−２を面実装部材６と平行に配置できるので、回路基板への載置の安定化を図ることができ、半田付けの接続性を高めることができる。
【００５４】
(i) また、不安定なスプリングバックを想定した折曲げ角度の設定などの処理が不要であり、端子リード８−１、８−２の成形精度を高め、所望形状に折り曲げられた端子リード８−１、８−２の折曲げ形状に維持できる。
【００５５】
＜第２の実施の形態に係る端子リード８−１、８−２＞
【００５６】
図５のＡは、切欠部１２の角度θ1 を６０度に設定している。図５のＢは、端子リード８−１、８−２の折曲げ途上（θ2 ＝４５度、θ3 ＝１３５度）の形態を示している。図５のＣは、端子リード８−１、８−２の折曲げ完了（θ3 ＝９０度）の形態を示している。
【００５７】
切欠部１２の角度θ1 ＝６０度に設定した場合には、図５のＣに示すように、端子リード８−１、８−２の折曲げ角部１８には緩やかなＶ字状の傾斜面１６−１、１６−２から成る傾斜部２４が形成されている。この場合の伸長部２６は、伸長部２２（図３のＢ）に比較して小さくなっている。図５のＣにおいて、Ｗ５は伸長部２６の湾曲面側の大きさである。
【００５８】
そして、折り曲げ角部１８側にリード基部８Ａと折曲げ部８Ｂを原形状に復帰させるための肉厚部が存在していない。このため、端子リード８−１、８−２の素材に弾性があっても、原形状に復帰するための復元力が生じない。この結果、スプリングバックが大幅に低減される。
【００５９】
このように、切欠部１２の角度を９０度から６０度にしても切欠部１２の拡開方向に端子リード８−１、８−２を折り曲げれば、スプリングバックを低減できる。
【００６０】
＜第３の実施の形態に係る端子リード８−１、８−２＞
【００６１】
図６のＡは、切欠部１２の角度θ1 を１２０度に設定している。図６のＢは、この場合の折曲げ途上（θ2 ＝４５度、θ3 ＝１３５度）の形態を示している。図６のＣは、この場合の折曲げ完了（θ3 ＝９０度）の形態を示している。
【００６２】
切欠部１２の角度θ1 ＝１２０度に設定した場合には、図６のＣに示すように、端子リード８−１、８−２の折曲げ角部１８には最深部１４側が突出して緩やかな山型の傾斜面１６−１、１６−２から成る傾斜部２８が形成されている。この場合の伸長部３０は、伸長部２２（図４のＢ）に比較して小さくなっている。
【００６３】
そして、折曲げ角部１８側にリード基部８Ａと折曲げ部８Ｂを原形状に復帰させるための肉厚部が存在していない。このため、端子リード８−１、８−２の素材に弾性があっても、原形状に復帰するための復元力が生じない。この結果、スプリングバックが大幅に低減される。
【００６４】
このように、切欠部１２の角度を９０度から１２０度にしても切欠部１２の拡開方向に端子リード８−１、８−２を折り曲げれば、スプリングバックを低減できる。
【００６５】
＜第４の実施の形態に係る端子リード８−１、８−２＞
【００６６】
この実施の形態では、切欠部１２を持たない端子リード８−１、８−２を９０度だけ折り曲げた後、折曲げ角部１８を切除して傾斜部３２（図７のＢ）、３４（図７のＣ）、３６（図７のＤ）を形成している。
【００６７】
図７のＡは、比較のため、切欠部１２を持たない端子リード８−１、８−２を９０度だけ折り曲げた状態を示している。つまり、リード基部８Ａと折曲げ部８Ｂとで折曲げ角部１８が形成されている。この折曲げ角部１８の背面部には円弧状の伸び幅Ｗ７を持つ伸長部３８が形成されている。スプリングバックの大きさは、材料のヤング率等に依存するが、伸長部３８の大きさ（図中の円弧状面の面積）もスプリングバックに影響を与える。
【００６８】
図７のＢは、図７のＡに示す折曲げ角部１８の背面側の一部を切削して傾斜部３２が形成されている。この傾斜部３２は、リード基部８Ａと折曲げ部８Ｂとが成す折曲げ角部１８の背面部に対し、折曲げ角度θ3 を二分する中心線５０と交差方向に広がりを持つ傾斜面である。
【００６９】
この傾斜部３２を形成すれば、伸長部３８（図７のＡ）は二等辺三角形の伸長部５２に大幅に削減され、しかも、伸び幅Ｗ７は伸び幅Ｗ８に削減されている。この結果、スプリングバックは、図７のＡの場合に比較し、大幅に低減される。
【００７０】
図７のＣは、図７のＡに示す折曲げ角部１８の背面側の一部を切削して傾斜部３４に形成されている。この傾斜部３４は、リード基部８Ａと折曲げ部８Ｂとが成す折曲げ角部１８の背面部に対し、折曲げ角度θ3 を二分する中心線５０を中心に交差方向に広がりを持つ二つの傾斜面３４−１、３４−２を備えている。この場合、傾斜面３４−１、３４−２の成す角度θ1 はたとえば、１２０度である。
【００７１】
この傾斜部３４を形成すれば、伸長部３８（図７のＡ）は二等辺三角形の伸長部５４に大幅に削減され、しかも、伸び幅Ｗ７は伸び幅Ｗ９に削減されている。この結果、スプリングバックは、図７のＡの場合に比較し、大幅に低減される。
【００７２】
図７のＤは、図７のＡに示す折曲げ角部１８の背面側の一部を切削して傾斜部３６に形成されている。この傾斜部３６は、リード基部８Ａと折曲げ部８Ｂとが成す折曲げ角部１８の背面部に対し、折曲げ角度θ3 を二分する中心線５０を中心に交差方向に広がりを持つ二つの傾斜面３６−１、３６−２を備えている。この場合、傾斜面３６−１、３６−２の成す角度θ1 はたとえば、９０度である。
【００７３】
この傾斜部３６を形成すれば、伸長部３８（図７のＡ）は大幅に削減されている。この結果、スプリングバックは、図７のＡの場合に比較し、大幅に低減される。
【００７４】
このように切欠部１２のない端子リード８−１、８−２を折り曲げ、折曲げ角部１８の一部を切除して傾斜部を形成すれば、スプリングバックを低減することができる。
【００７５】
＜他の実施の形態＞
【００７６】
(1) 上記実施の形態ではコンデンサを例示したが、コンデンサ以外の電子部品であってもよい。
【００７７】
(2) 上記実施の形態では、コンデンサの端子リードの折曲げについて説明したが、コンデンサの製造方法には、コンデンサ素子の形成、外装部材による外装などの他の処理を含むものである。たとえば、上記実施の形態では、有底筒状の外装ケース４２を用いたコンデンサ本体４を例示しているが、コンデンサ本体４には樹脂モールドタイプのチップ型コンデンサを用いてもよい。樹脂モールドタイプでは、コンデンサ素子の周囲を外装樹脂層で被覆する。この外装樹脂層の形成には、液状樹脂にコンデンサ素子を浸漬するいわゆる浸漬法や、コンデンサ素子を被覆する外装樹脂層を金型で成型する成型法などのいずれを用いてもよい。
【００７８】
以上説明したように、本発明の最も好ましい実施の形態等について説明したが、本発明は、上記記載に限定されるものではない。特許請求の範囲に記載され、又は発明を実施するための形態に開示された発明の要旨に基づき、当業者において様々な変形や変更が可能である。斯かる変形や変更が、本発明の範囲に含まれることは言うまでもない。
【産業上の利用可能性】
【００７９】
本発明の端子成形方法、端子およびコンデンサの製造方法によれば、回路基板への面実装（フェィスボンディング）などに用いられる端子リードの成形に関し、折曲げ位置にＶ字状の切欠部を形成することにより、または折曲げ角部側の背面部を切除することにより、折り曲げられた端子リードのスプリングバックを軽減し、成形精度を高めることができ、製品品質を向上させることができる。
【符号の説明】
【００８０】
２  コンデンサ
４  コンデンサ本体
６  面実装部材
８−１、８−２  端子リード
１０  折曲げ位置
１２  切欠部
１４  最深部
１６−１、１６−２  傾斜面
１８  折曲げ角部
２０  傾斜部
２２  伸長部、基部
２４  折曲げ側端部２４、傾斜部
２６  伸長部
２８  傾斜部
３０  伸長部
３２、３４、３６  傾斜部
３４−１、３４−２  傾斜面
３６−１、３６−２  傾斜面
３８  伸長部
４２  外装ケース
４４  コンデンサ素子
４６  封口部材
５０  中心線
５２  伸長部
５４  伸長部
【図１】
2013201259.tif 000003
【図２】
2013201259.tif 000004
【図３】
2013201259.tif 000005
【図４】
2013201259.tif 000006
【図５】
2013201259.tif 000007
【図６】
2013201259.tif 000008
【図７】
2013201259.tif 000009